(57)【要約】      （修正有）【課題】ゴルフ用ティーの高さ調節を容易に行うことができ、使用者にとって最適な高さを簡単に決定でき、梱包時・運搬時に便利なゴルフ用ティー及び測定セットを提供する。【解決手段】ピン本体４と、ピン本体に連結固定するヘッド２０と、ピン本体４を地面に刺した状態を保持するためのティーガード３２とからなり、ピン本体は、一方の端部にピン先端部が設けられ、もう一方の端部にはヘッド連結部が設けられ、ピン本体側部には、ティーガード連結部が設けられ、ヘッドには、ヘッド連結部と連結する連結部が設けられ、ティーガードには、ティーガード連結部と連結する連結部が設けられていることを特徴とする。また、ピン本体にはティーガード連結部が設けられ、ティーガード連結部は、ピン本体側部に設けられた複数の溝で、ティーガードは、溝内に収納可能な厚みを有する略板状部材であっても良い。【選択図】  図１
0003106481.tif 000002
【実用新案登録請求の範囲】
【請求項１】
ピン本体と、該ピン本体に連結固定するヘッドと、該ピン本体を地面に刺した状態を保持するためのティーガードとからなるゴルフ用ティーであって、該ピン本体は、一方の端部にピン先端部が設けられ、もう一方の端部にはヘッド連結部が設けられ、該ピン本体側部には、ティーガード連結部が設けられ、前記ヘッドには、前記ヘッド連結部と連結する連結部が設けられ、該ティーガードには、該ティーガード連結部と連結する連結部が設けられていることを特徴とするゴルフ用ティー。
【請求項２】
前記ティーガード連結部は、ピン本体側部に設けられた溝であり、該溝は、複数が等間隔に設けられ、隣り合う溝間には、目盛りが設けられ、前記ティーガードは、前記溝内に収納可能な厚みを有する略板状部材であり、前記ティーガードの連結部は、該ティーガードを貫通する連結孔であり、該連結孔は、該ティーガードの中心に設けられた前記溝底部と同径の係止孔と、該係止孔の近傍に設けられた前記ピン本体と同径の移動孔が連結していることを特徴とする請求項１に記載のゴルフ用ティー。
【請求項３】
ゴルフクラブの打撃面と略同形の形状を有し、一方の面には、該測定紙又はゴルフクラブの中心部と、所定間隔を有して目盛りが設けられ、もう一方の面には粘着層が設けられ、ゴルフボールと該測定紙が接触した時、該測定紙面上にゴルフボールと接触した箇所が現れることを特徴とする測定紙。
【請求項４】
ゴルフ用ティーと測定紙とからなる測定セットであって、該ゴルフ用ティーは、ティー本体と、該ティー本体を地面に刺した状態を保持するためのティーガードとを備え、該ピン本体は、前記ティーガードを該ティー本体に連結保持するティーガード連結部を有し、該ティーガードは、該ティーガード連結部と連結する連結部を有し、前記ティーガード連結部は、該ティー本体の側部に設けられた複数の溝が等間隔に設けられ、隣り合う溝間には、目盛りが設けられ、前記ティーガードは、前記溝内に収納可能な厚みを有する略板状部材であり、前記ティーガードの連結部は、該ティーガードを貫通する連結孔であり、該連結孔は、該ティーガードの中心に設けられた前記溝の底部と同径の係止孔と、該係止孔の近傍に設けられた前記ピン本体と同径の移動孔が連結し、前記測定紙は、ゴルフクラブの打撃面と略同形の形状を有し、一方の面には、該測定紙又はゴルフクラブの中心部と、参照目盛りが設けられ、もう一方の面には粘着層が設けられ、該参照目盛りは、前記溝及び目盛りに対応し、ゴルフボールと該測定紙が接触した時、該測定紙面上にゴルフボールと接触した箇所が現れることを特徴とする測定セット。
【考案の詳細な説明】
【技術分野】
【０００１】
本考案は、ゴルフの各ホールで、第一打時に使用するゴルフ用ティーに関するものである。
【背景技術】
【０００２】
ゴルフの各ホールの第一打目は、ゴルフ用ティーを使用してショットすることが認められているため、ゴルフプレーヤーのほとんどがゴルフ用ティーを使用している。ゴルフ用ティーを使用すると、地面とゴルフボールの間に適度な空間が生まれるため、ゴルフクラブの打撃面の芯でゴルフボールを打撃し易くなり、地面にゴルフボールを置いて打つ時よりも、ゴルフボールがより正確で遠くに飛びやすい。
【０００３】
一般的なゴルフ用ティーは、先端が尖った形状をし、ゴルフボールを固定するための冠状部材が設けられている。ゴルフ用ティーを使用する時は、ゴルフ用ティーを任意の高さまで先端部から土中に差し込み、冠部材にゴルフボールを載せて打つ。
【０００４】
しかし、ゴルフ用ティーを土中に突き刺す時、使用者の感覚によって突き刺す深さを決定しているため、ゴルフボールの高さにばらつきがでてしまっていた。その結果、ゴルフボールの中心をゴルフクラブの芯で捉えることができず、正確な軌道にならないという問題が生じていた。また、打撃後のゴルフボールが正確な軌道でないと、使用者は無意識に、自身の打撃フォームに問題があると勘違いして、若干の修正を加え始める。その結果、従来の正しい打撃フォームに戻らなくなってしまったり、調子を著しく悪くしてしまうという問題があった。
【０００５】
また、ゴルフ用ティーは、細いピンの上にゴルフボールを載せるため、突き刺した地面がぬかるんでいたり、柔らかい地質や、芝生の状態によって合は、特にゴルフ用ティーが十分に固定されにくいという問題も生じていた。
【０００６】
これらの問題を解決するために、様々なゴルフ用ティーが開発された。実用新案登録第３０６４８１８号には、高さが調節可能なゴルフ用ティーに関する考案が開示されている。このゴルフ用ティーは、ゴルフ用ティーに、ねじ切り目盛と、ねじ切り装着された高さ調節治具が設けられている。
【特許文献１】実用新案登録第３０６４８１８号
【考案の開示】
【考案が解決しようとする課題】
【０００７】
上記した実用新案登録第３０６４８１８号に記載のゴルフ用ティーは、ゴルフボールを常に一定の高さで保持することができるという問題は解決できたが、高さ調節治具がねじ切り装着されているため、高さ調節治具を回転させないと任意の位置に調節することができず、非常に面倒であるという問題が生じていた。例えば、ゴルフコースの地形などによって、ゴルフボールの軌跡を変えたい時、ゴルフ用ティーの高さを若干変化させようとすると、第３０６４８１８号に記載のゴルフ用ティーでは、高さ調節治具を回転させて調節させなければならないため、時間が掛かってしまい、他のプレイヤーに迷惑をかけてしまうというが生じる。
【０００８】
また、実用新案登録第３０６４８１８号に記載のゴルフ用ティーは、使用者にとって最適な高さでショットをすることができるが、その最適な高さを判断することができないという問題が生じていた。つまり、第３０６４８１８号に記載のゴルフ用ティーを使用して使用者の最適な高さを決定しようとすると、試し打ちをし、ゴルフボールの軌道を見て高さの微調節をし、再度試し打ちをして、最適な位置に近づけるという作業を何度も繰り返さなければならず、非常に手間と時間がかかって面倒である。また、使用者のその日の調子や、気象条件などによって、最適な高さが通常時と比べて若干変化している時は、前記した作業を再度繰り返さなければならにため、融通性や利便性が非常に悪いという問題があった。
【０００９】
また、ゴルフ用ティーは、他のゴルフ用具に比べて、軽量、小型、安価であることから、ゴルフ雑誌の読者プレゼントや、簡単な贈り物などに使われることがある。このとき、ゴルフ用ティーの他の部位よりも冠部材が突出しているため、梱包が難しく、郵送中にゴルフ用ティーが折れてしまうおそれがあった。また、ゴルフ用ティーが折れないような梱包をすると、費用が膨大になってしまうという問題も生じていた。
【００１０】
以上のことから、ゴルフ用ティーの高さ調節を容易に行うことができ、使用者に最適な高さ決定が非常に簡単で、運搬時に邪魔にならないゴルフ用ティー及び測定セットの開発が望まれていた。
【課題を解決するための手段】
【００１１】
上記課題を解決するため本考案に係るゴルフ用ティーは、ピン本体と、ピン本体に連結固定するヘッドと、ピン本体を地面に刺した状態を保持するためのティーガードとからなり、ピン本体は、一方の端部にピン先端部が設けられ、もう一方の端部にはヘッド連結部が設けられ、ピン本体側部には、ティーガード連結部が設けられ、ヘッドには、ヘッド連結部と連結する連結部が設けられ、ティーガードには、ティーガード連結部と連結する連結部が設けられていることを特徴とする。
【００１２】
また、ティーガード連結部は、ピン本体側部に設けられた複数の溝であり、複数の溝は等間隔に設けられ、隣り合う溝間には、目盛りが設けられ、ティーガードは、溝内に収納可能な厚みを有する略板状部材であり、ティーガードの連結部は、ティーガードを貫通する連結孔であり、連結孔は、ティーガードの中心に設けられた溝底部と同径の係止孔と、係止孔の近傍に設けられたピン本体と同径の移動孔が連結していても良い。
【００１３】
上記課題を解決するため本考案に係る測定紙は、ゴルフクラブの打撃面と略同形の形状を有し、一方の面には、測定紙又はゴルフクラブの中心部と、所定間隔を有して目盛りが設けられ、もう一方の面には粘着層が設けられ、ゴルフボールと測定紙が接触した時、ゴルフボールと接触した箇所が測定紙面上に現れることを特徴とする。
【００１４】
上記課題を解決するため本考案に係る測定セットは、ゴルフ用ティーと測定紙とからなる測定セットであって、ゴルフ用ティーは、ティー本体と、ティー本体を地面に刺した状態を保持するためのティーガードとを備え、ピン本体は、ティーガードをティー本体に連結保持するティーガード連結部を有し、ティーガードは、ティーガード連結部と連結する連結部を有し、ティーガード連結部は、ティー本体の側部に設けられた複数の溝が等間隔に設けられ、隣り合う溝間には、目盛りが設けられ、ティーガードは、溝内に収納可能な厚みを有する略板状部材であり、ティーガードの連結部は、ティーガードを貫通する連結孔であり、連結孔は、ティーガードの中心に設けられた溝の底部と同径の係止孔と、係止孔の近傍に設けられたピン本体と同径の移動孔が連結し、測定紙は、ゴルフクラブの打撃面と略同形の形状を有し、一方の面には、測定紙又はゴルフクラブの中心部と、参照目盛りが設けられ、もう一方の面には粘着層が設けられ、参照目盛りは、溝及び目盛りに対応し、ゴルフボールと測定紙が接触した時、測定紙面上にゴルフボールと接触した箇所が現れることを特徴とする。
【考案の効果】
【００１５】
本考案に係るゴルフ用ティーは、ピン本体と、ピン本体に連結固定するヘッドと、ピン本体を地面に刺した状態を保持するためのティーガードとからなるため、ゴルフ用ティーを分解して梱包、搬送することができるため、梱包が容易であると共に、搬送時に破損するおそれが無い。
【００１６】
また、ピン本体にはティーガード連結部が設けられ、ティーガード連結部は、ピン本体側部に設けられた複数の溝であり、複数の溝は等間隔に設けられ、隣り合う溝間には、目盛りが設けら、ティーガードは、溝内に収納可能な厚みを有する略板状部材であり、ティーガードの連結部は、ティーガードを貫通する連結孔であるため、ピン本体とティーガードの連結が容易であり、ゴルフ用ティーの高さ調節作業も簡単に行うことができる。
【００１７】
また、本考案に係る測定セットは、ゴルフ用ティーと測定紙とからなり、測定紙は、ゴルフクラブの打撃面と略同形の形状を有し、一方の面には、測定紙又はゴルフクラブの中心部と、参照目盛りが設けられ、もう一方の面には粘着層が設けられ、参照目盛りは、溝及び目盛りに対応し、ゴルフボールと測定紙が接触した時、測定紙面上にゴルフボールと接触した箇所が現れるため、ゴルフクラブ打撃面の芯部と、接触箇所とのずれを確認できると共に、使用者にとってゴルフ用ティーの最適な高さを容易に認識、調節することが可能である。
【考案を実施するための最良の形態】
【００１８】
本考案に係るゴルフ用ティー２について、図を参照にしながら説明する。図１は、本考案に係るゴルフ用ティー２を示した説明図であり、図２はゴルフ用ティー２の側面図である。なお、これらの図は説明するためのだけのものであって、本考案を何ら限定するものではない。
【００１９】
本考案に係るゴルフ用ティー２は、ピン本体４と、ピン本体４に連結固定するヘッド２０と、ピン本体４を地面に刺した状態を保持するためのティーガード連結部１４とからなることを特徴とする。
【００２０】
図３は、本考案に係るピン本体４を示した説明図であり、図４は、ピン本体４の側面図である。ピン本体４は、略柱状で、一方の端部にピン先端部６が設けられている。また、ピン本体は図示された様に、円柱状でも良いし、角柱状でも良い。また、円錐型、角錐型でも良く、適宜設定すれば良い。ピン先端部６は、図示されているように鋭利であっても良いが、地面に刺しやすい形状であれば、どの様な形状でも良い。また、ピン本体４の材料についても、一般的なゴルフ用ティー２で使用されている材料を使用すれば良く、特に限定しない。
【００２１】
また、ピン本体４の一方の端部にはヘッド連結部８が設けられている。ピン本体４とヘッド２０を連結構造とすることにより、運搬時や梱包時にヘッド２０部分が他の部位よりも突出することが無くなり、ゴルフ用ティー２が破損するおそれも無くなる。ヘッド連結部８については、どの様な連結構造、連結手段を用いても良いが、容易に連結でき、連結が外れにくければ更に良い。図中のヘッド連結部８としては、ピン本体４端部にピン本体４よりも大きい径の第一突起１０を設け、第一突起１０の近傍に一対の第二突起１２を設けている。
【００２２】
また、ピン本体４側部には、ティーガード連結部１４をピン本体４に連結保持するためのティーガード連結部１４が設けられている。図中のティーガード連結部１４連結部は、ピン本体４側部に溝１６を複数設け、この溝１６にティーガード連結部１４を係止して連結しようとするものである。溝１６の大きさ、幅、深さといった種々の条件は、ピン本体４の強度やティーガード連結部１４の形状などを考慮して、適宜設定すれば良い。また、図中では溝１６がピン本体４を周回しているが、ピン本体４側部を半周する溝でも良いし、その他の長さの溝１６であっても良く、適宜設定すれば良い。また、、ティーガード連結部１４の連結構造、連結手段などについては、ピン本体４側部に溝１６を設ける以外にも種々の条件を考慮して適宜設定すれば良い。
【００２３】
また、複数の溝１６は等間隔に設けられており、隣り合う溝１６間には、目盛り１８が設けられていても良い。目盛り１８は、ピン本体４側部にシール部材を貼付しても良いし、ピン本体４側部に印刷しても良い。また、ピン本体４側部を切削するなどしても良く、適宜設定すれば良い。
【００２４】
次に、本考案に係るヘッド２０について説明する。図５は、本考案に係るヘッド２０を示した説明図である。図６は、ヘッドの平面図、図７はヘッドの断面図である。本考案に係るヘッド２０は、ゴルフボール５０を保持するためのゴルフボール保持部２２を有し、ピン本体４のヘッド連結部８と連結する連結部２４を有している。ヘッド２０の外形、ゴルフボール保持部２２の形状については、一般的に市販されているゴルフ用ティー２と同じでも良いが、ゴルフボール保持部２２に他の保持部材を設けても良い。この保持部材としては、例えば、ブラシ状部材を設けて、このブラシ状部材にゴルフボール５０を載せて保持しても良い。また、ゴルフボール保持部２２に複数の突起部材を設け、この突起部材にゴルフボール５０を載せて保持しても良く、ゴルフボール保持部２２については、適宜設定しても良い。また、ヘッド２０の材料についても、同様に一般的に市販されているゴルフ用ティー２のヘッド２０部分と同じでも良く、ピン本体４の材料などを考慮して適宜設定すれば良い。
【００２５】
ヘッド２０に設けられる連結部２４としては、ヘッド連結部８が図３に示された様に溝１６である場合、ヘッド２０頂部から底部近傍に向かって第一突起１０と同径の孔を形成し、ヘッド２０底部にピン本体４が貫通可能なピン本体移動孔２６と第二突起１２が貫通可能な第二突起移動孔２８を形成し、ヘッド２０底部に第一突起係止部３０を設けるのが良い。また、第一突起係止部３０の厚みを、第一突起１０と第二突起１２の間隙と同幅にすれば、図９に示されたように、ピン本体４とヘッド２０を連結した後、ピン本体４を軸としてヘッド２０を回転させることができる。この時、ヘッド２０を回転することによって、第二突起移動孔２８と第二突起１２の位置がずれ、ヘッド２０とピン本体４の連結が外れなくなる。この他にも連結部２４の連結構造、連結手段は、ヘッド連結部８に応じて設定すれば良く、特に限定しない。また、ヘッド２０及びピン本体４の連結は、着脱自在に連結されても良いし、連結した後着脱不可能に固定されても良く、連結構造、連結手段に応じて設定すれば良い。
【００２６】
次に、本考案に係るティーガード連結部１４について説明する。図８は、本考案に係るティーガード３２を示した説明図である。ティーガード３２は、ゴルフ用ティー２を地面に突き刺したときに、ゴルフ用ティー２の固定を補助すると共に、ゴルフ用ティー２の高さを調節できる部材のことを指す。ティーガード３２は図示されているように、略板状が良いが、特に限定しない。また、図中では円形に形成されているが、角形でもその他の形状でも良く、適宜設定すれば良い。また、材料についても特に限定せず、ピン本体４、ヘッド２０の材料なども考慮して適宜設定すれば良い。
【００２７】
また、ティーガード３２には、ティーガード連結部１４と連結する連結部３４が設けられている。連結部３４の連結手段、連結構造については、ティーガード連結部１４に応じて設定すれば良い。ティーガード連結部１４が溝１６の時、連結部３４として、ティーガード３２に連結孔３６を設けるのが良い。この連結孔３６は、ティーガード３２の中心に設けられた溝１６底部と同径の係止孔４０と、係止孔４０の近傍に設けられたピン本体４と同径の移動孔３８が連結されてなる。連結孔３６をこの形状にすることにより、ティーガード３２の高さ調節する時は、ピン本体４を移動孔３８内で移動させ、ティーガード３２を連結する時は、溝１６を係止孔４０に移動させるだけで、ピン本体４とティーガード３２を連結することができる。
【００２８】
以上が、本考案に係るゴルフ用ティー２について説明であるが、本考案の目的を逸脱しない限り、種々の条件、設定は変更が可能である。上記説明では、ピン本体４とヘッド２０は連結構造となっているが、ピン本体４とヘッド２０が一体形成されていても良い。
【００２９】
次に、本考案に係る測定セット４８について説明する。図１３は、本考案に係る測定セット４８の使用例を示した説明図であり、図１２は、本考案に係る測定紙４２を示した説明図である。
【００３０】
本考案に係る測定セット４８は、ゴルフ用ティー２と測定紙４２とからなることを特徴とする。測定セット４８を使用することにより、使用者自身が理想とする弾道が打てるゴルフ用ティー２の最適な高さを容易に決定することができる。
【００３１】
測定紙４２は、ゴルフクラブ５２の打撃面と略同形の形状を有し、一方の面には、測定紙４２又はゴルフクラブ５２の中心部４６と、所定間隔を有して参照目盛り４４が設けられ、もう一方の面には粘着層が設けられている。また、ゴルフボール５０と測定紙４２が接触した時、ゴルフボール５０と接触した箇所が測定紙４２面上に現れることを特徴とする。
【００３２】
測定紙４２の材質としては、カーボン紙、ノーカーボン紙、感熱紙、感圧紙などを使用するのが良いが、その他の紙類又は別の材質などを使用しても良く、ゴルフボール５０との接触箇所が認識できるような材料、材質のものを定期設定すれば良い。
また、粘着層としては、ゴルフクラブ５２の打撃面に測定紙４２を貼付することができれば、どの様な手段、粘着剤を使用しても良い。このとき、ゴルフクラブ５２の打撃面に測定紙４２に貼付及び取り外しが容易で、測定紙４２を貼付した後、ゴルフクラブ５２の打撃面が損傷、変形しなければ、更に良い。
【００３３】
また、測定紙４２に設けられた参照目盛り４４は、ピン本体４に設けられた溝１６の間隔と対応する様に設けられるのが良い。参照目盛り４４を溝１６の間隔と対応させることにより、ゴルフクラブ５２の中心部４６と打撃箇所とのずれ幅を参照目盛り４４で確認し、ずれ幅と同数の目盛り分だけティーガード３２を移動させれば、正確な位置に調整することができる。具体的に説明すると、図１３に示された様に、ティーガード３２をピン本体４の目盛り１８の３５の位置で連結して試し打ちをする。この時、接触箇所が図１２に示された位置であったとすれば、接触箇所の中心は−５の高さであるため、ティーガード３２の高さをピン本体４の目盛り１８の３０の位置にすれば良い。
【００３４】
ゴルフ用ティー２については、前記したゴルフ用ティー２と同一であるため、説明を省略する。
【００３５】
以上が、本考案に係る測定セット４８についての説明であるが、本考案の目的を逸脱しない限り、種々の条件、設定は変更が可能である。
【００３６】
次に、本考案に係るゴルフ用ティー２の使用方法について説明する。図９は、ゴルフ用ティー２を組み立て方を説明した説明図で、図１０は、ティーガード連結部１４の連結を示した説明図である。
【００３７】
ゴルフ用ティー２を組み立てるには、ピン本体４のピン先端部６を、ヘッド２０のゴルフボール保持部２２側から差し込む。そして、ヘッド２０をヘッド連結部８側まで移動させると、第二突起１２が第二突起移動孔２８を通過すると同時に、第一突起１０が第一突起係止部３０と接触する。この状態で、ヘッド２０又はピン本体４を９０度回転させると、第二突起１２と第二突起移動孔２８の位置がずれ、ヘッド２０とピン本体４の連結が完了する。
【００３８】
次に、ピン本体４のピン先端部６を、ティーガード連結部１４の移動孔３８に挿入し、ピン本体４の任意の溝１６の位置までティーガード連結部１４を移動させる。ティーガード連結部１４が任意の溝１６の位置まで移動したら、ピン本体４をティーガード連結部１４の係止孔４０側に移動させると、ピン本体４とティーガード連結部１４の連結が完了し、ゴルフ用ティー２の組立が完了する。
【００３９】
ティーガード３２の高さを調節する時は、ピン本体４をティーガード３２の移動孔３８側に移動させ、任意の溝１６の位置までティーガード３２を移動させる。ティーガード３２が任意の溝１６の位置まで移動したら、ピン本体４を係止孔４０側に移動させれば、ティーガード３２の高さ調節ができる。
【００４０】
次に、本考案に係る測定セット４８の使用方法について説明する。図１３は、測定セット４８の使用方法を説明した説明図である。
【００４１】
測定セット４８を使用するには、まず、ティーガード連結部１４を任意の高さに設定してゴルフ用ティー２を組み立て、ゴルフボール５０を固定する。そして、使用するゴルフクラブ５２の打撃面に測定紙４２を貼付して、試し打ちをする。
【００４２】
測定紙４２に現れたゴルフボール５０の接触箇所を見て、接触箇所が中心部４６に位置していれば、ティーガード連結部１４の高さが使用者の最適な高さであることがわかる。接触箇所と中心部４６がずれている時は、接触箇所の中心を参照目盛り４４で確認し、参照目盛り４４に記載されている数値の分だけティーガード３２の位置を移動させれば、使用者の最適な高さにすることができる。使用者の最適な高さに調節するには、これらの作業を複数回行い、誤差を減少させて正確に調節するのが好ましい。
【実施例】
【００４３】
次に、本考案に係るゴルフ用ティー２を使用し、ゴルフ用ティー２の高さと、ゴルフボール５０の弾道、軌跡の関係について測定した。なお、測定条件、測定方法、測定結果については、本考案を何ら限定するものではない。測定方法は、ゴルフスイング機にゴルフクラブを取り付け、ゴルフスイング機の打撃条件は全て同一のにし、ゴルフ用ティー２の高さを変化させて複数回の打撃を試行した。なお、ゴルフボールは、ＤＵＮＬＯＰ社製の「Ｅｖｅｒｉｏ  ＨＩＢＲＩＤ」を使用し、ゴルフクラブは、ＤＵＮＬＯＰ社製の「ＸＸＩＯ  ＭＰ３００」を使用した。ゴルフスイング機のスイング速度は、４３ｍ／ｓｅｃとした。
【００４４】
例１  ティーガード３２を目盛り１８の「３５」に連結し、ゴルフ用ティー２を地面に突き刺してゴルフボール５０を打撃したところ、図１４中ゴルフクラブ５２の打点Ａでゴルフボール５０打撃した。上記方法で５回試打し、測定した。測定結果は以下の通りである。なお、測定結果欄のキャリーは、打撃から最初の着地までの飛距離（以降キャリーとする）、ランは、打撃から最初の着地以降に転がった距離（以降ランとする）、総飛距離はキャリーとランの合計である。左・右は、正常な軌道とのずれ差、差異は最大値と最小値の差、平均は全試打中で最大値と最小値を除いた残りの平均である。飛距離の単位はヤードである。
【００４５】
【表１】
0003106481.tif 000003
【００４６】
例２  ティーガード３２を目盛り１８の「３０」に連結し、ゴルフ用ティー２を地面に突き刺してゴルフボール５０を打撃したところ、図１４中ゴルフクラブ５２の打点Ｂでゴルフボール５０打撃した。測定結果は以下の通りである。
【００４７】
【表２】
0003106481.tif 000004
【００４８】
例３  ティーガード３２を目盛り１８の「３５」に連結し、ゴルフ用ティー２を地面に突き刺してゴルフボール５０を打撃したところ、図１４中ゴルフクラブ５２の打点Ｃでゴルフボール５０打撃した。測定結果は以下の通りである。
【００４９】
【表３】
0003106481.tif 000005
【００５０】
例４  ティーガード３２を目盛り１８の「２５」に連結し、ゴルフ用ティー２を地面に突き刺してゴルフボール５０を打撃したところ、図１４中ゴルフクラブ５２の打点Ｄでゴルフボール５０打撃した。測定結果は以下の通りである。
【００５１】
【表４】
0003106481.tif 000006
【００５２】
例５  ティーガード３２を目盛り１８の「２０」に連結し、ゴルフ用ティー２を地面に突き刺してゴルフボール５０を打撃したところ、図１４中ゴルフクラブ５２の打点Ｅでゴルフボール５０打撃した。測定結果は以下の通りである。
【００５３】
【表５】
0003106481.tif 000007
【００５４】
例６  ティーガード３２を目盛り１８の「１５」に連結し、ゴルフ用ティー２を地面に突き刺してゴルフボール５０を打撃したところ、図１４中ゴルフクラブ５２の打点Ｆでゴルフボール５０打撃した。測定結果は以下の通りである。
【００５５】
【表６】
0003106481.tif 000008
【００５６】
例７  ティーガード３２を目盛り１８の「１０」に連結し、ゴルフ用ティー２を地面に突き刺してゴルフボール５０を打撃したところ、図１４中ゴルフクラブ５２の打点Ｇでゴルフボール５０打撃した。測定結果は以下の通りである。
【００５７】
【表７】
0003106481.tif 000009
【００５８】
上記した各例の総飛距離、キャリー、ランは、以下の通りである。総飛距離を比較してみると、打点Ｄでゴルフボール５０を打撃すると最も飛距離があり、打点Ｄが他の打点と比べてゴルフクラブ５２の芯に近い場所であることがわかる。今回の実施例では、ティーガード３２を目盛り１８の「２５」に設置した時に打点Ｄとなったが、ティーガード３２を設置する目盛り１８の箇所は、使用者が適宜調節して決定すればよい。
【００５９】
また、打点Ｃにおいては、総飛距離が打点Ｄよりも短いが、ランでは打点Ｄよりも長い。また、打点Ｅにおいては、キャリーが打点Ｄよりも長い。以上のことから、向かい風等、風の影響によって飛距離が出ない様な時には、通常時のティーガード３２の位置よりも目盛り１８で１段階上げれば、低弾道となって、風の影響を受けにくく、ランで距離を出すことが出来る。また、登り勾配のコースや、追い風等では、通常時のティーガード３２の位置よりも目盛り１８で１段階下げれば、高弾道となり、キャリーで距離を出すことが出来る。以上のように、ゴルフコースや環境等の条件によって、ティーガード３２の位置を適宜設定すれば、その状況において最良なショットを打つことが可能となる。
【００６０】
【表８】
0003106481.tif 000010
【図面の簡単な説明】
【００６１】
【図１】本考案に係るゴルフ用ティーを示した説明図である。
【図２】本考案に係るゴルフ用ティーの側面図である。
【図３】本考案に係るピン本体を示した説明図である。
【図４】本考案に係るピン本体の側面図である。
【図５】本考案に係るヘッドを示した説明図である。
【図６】本考案に係るヘッドの平面図である。
【図７】図６のａ−ａ線及びｂ−ｂ線断面図である。
【図８】本考案に係るティーガードを示した説明図である。
【図９】本考案に係るピン本体とヘッドの連結を示した説明図である。
【図１０】本考案に係るピン本体とティーガードの連結を示した説明図である。
【図１１】本考案に係るゴルフ用ティーの使用例を示した説明図である。
【図１２】本考案に係る測定紙を示した説明図である。
【図１３】本考案に係る測定セットの使用例を示した説明図である。
【図１４】本考案に係るゴルフ用ティーを使用した測定におけるゴルフクラブとゴルフボールの接点を示した図である。
【符号の説明】
【００６２】
２    ゴルフ用ティー
４    ピン本体
６    ピン先端部
８    ヘッド連結部
１０  第一突起
１２  第二突起
１４  ティーガード連結部
１６  溝
１８  目盛り
２０  ヘッド
２２  ゴルフボール保持部
２４  連結部
２６  ピン本体移動孔
２８  第二突起移動孔
３０  第一突起係止部
３２  ティーガード
３４  連結部
３６  連結孔
３８  移動孔
４０  係止孔
４２  測定紙
４４  参照目盛り
４６  中心部
４８  測定セット
５０  ゴルフボール
５２  ゴルフクラブ
【図１】
0003106481.tif 000011
【図２】
0003106481.tif 000012
【図３】
0003106481.tif 000013
【図４】
0003106481.tif 000014
【図５】
0003106481.tif 000015
【図６】
0003106481.tif 000016
【図７】
0003106481.tif 000017
【図８】
0003106481.tif 000018
【図９】
0003106481.tif 000019
【図１０】
0003106481.tif 000020
【図１１】
0003106481.tif 000021
【図１２】
0003106481.tif 000022
【図１３】
0003106481.tif 000023
【図１４】
0003106481.tif 000024
【手続補正書】
【提出日】平成16年8月26日(2004.8.26)
【手続補正１】
【補正対象書類名】実用新案登録請求の範囲
【補正対象項目名】全文
【補正方法】変更
【補正の内容】
【実用新案登録請求の範囲】
【請求項１】
ピン本体と、該ピン本体に連結固定するヘッドと、該ピン本体を地面に刺した状態を保持するためのティーガードとからなるゴルフ用ティーであって、該ピン本体は、一方の端部にピン先端部が設けられ、もう一方の端部にはヘッド連結部が設けられ、該ピン本体側部には、ティーガード連結部が設けられ、前記ヘッドには、前記ヘッド連結部と連結する連結部が設けられ、該ティーガードには、該ティーガード連結部と連結する連結部が設けられていることを特徴とするゴルフ用ティー。
【請求項２】
前記ティーガード連結部は、ピン本体側部に設けられた溝であり、該溝は、複数が等間隔に設けられ、隣り合う溝間には、目盛りが設けられ、前記ティーガードは、前記溝内に収納可能な厚みを有する略板状部材であり、前記ティーガードの連結部は、該ティーガードを貫通する連結孔であり、該連結孔は、該ティーガードの中心に設けられた前記溝底部と同径の係止孔と、該係止孔の近傍に設けられた前記ピン本体と同径の移動孔が連結していることを特徴とする請求項１に記載のゴルフ用ティー。
【請求項３】
ゴルフ用ティーと測定紙とからなる測定セットであって、該ゴルフ用ティーは、ピン本体と、該ピン本体を地面に刺した状態を保持するためのティーガードとを備え、該ピン本体は、前記ティーガードを該ピン本体に連結保持するティーガード連結部を有し、該ティーガードは、該ティーガード連結部と連結する連結部を有し、前記ティーガード連結部は、該ピン本体の側部に設けられた複数の溝が等間隔に設けられ、隣り合う溝間には、目盛りが設けられ、前記ティーガードは、前記溝内に収納可能な厚みを有する略板状部材であり、前記ティーガードの連結部は、該ティーガードを貫通する連結孔であり、該連結孔は、該ティーガードの中心に設けられた前記溝の底部と同径の係止孔と、該係止孔の近傍に設けられた前記ピン本体と同径の移動孔が連結し、前記測定紙は、ゴルフクラブの打撃面と略同形の形状を有し、一方の面には、該測定紙又はゴルフクラブの中心部と、参照目盛りが設けられ、もう一方の面には粘着層が設けられ、該参照目盛りは、前記溝及び目盛りに対応し、ゴルフボールと該測定紙が接触した時、該測定紙面上にゴルフボールと接触した箇所が現れることを特徴とする測定セット。